(57)【要約】【課題】ＴＶ受像機において、外部記憶媒体にログデータを書き出す際の手間を低減すると共に、作業者が意図するログデータのみを書き出して使い勝手を良くする。【解決手段】ＴＶ受像機は、ディスプレイと、複数のログデータを記憶するメモリとを備え、ＵＳＢメモリを接続可能である。ディスプレイには、ＵＳＢメモリに書き出すログデータを作業者が選択するためのログデータ選択ＧＵＩ画像を表示できる。作業者が、「ログデータの書き出し」を指示したとき（Ｓ１でＹＥＳ）、ＵＳＢメモリが接続されている場合（Ｓ２でＹＥＳ）、ＴＶ受像機は、ログデータ選択ＧＵＩ画像をディスプレイに表示する（Ｓ３）。作業者が、ログデータ選択ＧＵＩ画像上で、ＵＳＢメモリに書き出したいログデータを選択して設定すると（Ｓ４）、ＴＶ受像機は、自機のメモリから設定されたログデータを収集し（Ｓ５）、収集したログデータをＵＳＢメモリに書き出す処理（Ｓ６）を行う。【選択図】図３
2011130237.tif 000002
【特許請求の範囲】
【請求項１】
外部記憶媒体を接続可能な接続部と、
テレビジョン放送信号を受信する受信手段と、
前記受信手段により受信したテレビジョン放送信号に基づく画像を含む各種画像を表示する表示手段と、
各種のログデータを記憶するログデータ記憶手段と、
前記接続部に接続された前記外部記憶媒体にデータを書き出すデータ書き出し手段と、
装置各部を制御する制御手段とを備えるテレビジョン受像機において、
前記ログデータ記憶手段に記憶されているログデータのうち、前記外部記憶媒体に書き出すログデータを作業者が選択するためのＧＵＩ画像を記憶するＧＵＩ画像記憶手段をさらに備え、
前記制御手段は、
前記ログデータ記憶手段に記憶されているログデータを、前記接続部に接続された前記外部記憶媒体に書き出すときに、前記ＧＵＩ画像記憶手段に記憶された前記ＧＵＩ画像を前記表示手段に表示した後、
前記ログデータ記憶手段に記憶されているログデータのうち、前記表示手段上に表示された前記ＧＵＩ画像上で作業者によって選択されたログデータを、前記データ書き出し手段を用いて、前記接続部に接続された前記外部記憶媒体に書き出すことを特徴とするテレビジョン受像機。
【発明の詳細な説明】
【技術分野】
【０００１】
本発明は、外部記憶媒体に各種ログデータを書き出し可能であるテレビジョン受像機に関する。
【背景技術】
【０００２】
従来、エラーが発生した際に、サービスマン等の作業者が筐体を開けて内部の操作ボタンを操作したときに、ＵＳＢメモリ等の外部記憶媒体に対してログデータを書き出すテレビジョン（以下、ＴＶという）受像機が知られている（例えば、特許文献１乃至３参照）。このＴＶ受像機では、作業者は、ＴＶ受像機の筐体を開けて内部を操作しなければログデータをＵＳＢメモリに書き出すことができないため、手間がかかるという問題がある。
【０００３】
また、上記ＴＶ受像機のログデータには、チューナによって選局されたチャンネルのログデータや、オーディオ情報のログデータ等が含まれている。上記従来のＴＶ受像機は、ログデータをＵＳＢメモリに書き出す際に、上記全てのログデータをＵＳＢメモリに書き出す。従って、作業者の意図しないログデータもＵＳＢメモリに書き出されるため、作業者がログデータに基づいてエラー原因を解析する際に、余計なログデータも含まれるため解析に時間が掛かり、使い勝手が悪いという問題もある。
【０００４】
また、特許文献４には、ＨＭＩ（ヒューマン・マシーン・インタフェース）部品であるメータ表示画面等を含む操作画面データをバックアップ用のファイル形式に変換して、タグデータと共にＵＳＢメモリに記憶する監視制御用表示器が開示されている。しかしながら、この監視制御用表示器では、作業者が必要なデータのみをＵＳＢメモリに記憶させることができないため、上記問題を解決できない。
【先行技術文献】
【特許文献】
【０００５】
【特許文献１】特開２００８−１５６５５号公報
【特許文献２】特開２００６−３４３９８７号公報
【特許文献３】特開２００６−１０６８８２号公報
【特許文献４】特開２００８−２１１５６号公報
【発明の概要】
【発明が解決しようとする課題】
【０００６】
本発明は、上述した問題点を解決するためになされたものであり、外部記憶媒体にログデータを書き出す際の手間を低減できると共に、作業者が意図するログデータのみを書き出し、使い勝手の良いテレビジョン受像機を提供することを目的とする。
【課題を解決するための手段】
【０００７】
上記目的を達成するために請求項１の発明は、外部記憶媒体を接続可能な接続部と、テレビジョン放送信号を受信する受信手段と、前記受信手段により受信したテレビジョン放送信号に基づく画像を含む各種画像を表示する表示手段と、各種のログデータを記憶するログデータ記憶手段と、前記接続部に接続された前記外部記憶媒体にデータを書き出すデータ書き出し手段と、装置各部を制御する制御手段とを備えるテレビジョン受像機において、前記ログデータ記憶手段に記憶されているログデータのうち、前記外部記憶媒体に書き出すログデータを作業者が選択するためのＧＵＩ画像を記憶するＧＵＩ画像記憶手段をさらに備え、前記制御手段は、前記ログデータ記憶手段に記憶されているログデータを、前記接続部に接続された前記外部記憶媒体に書き出すときに、前記ＧＵＩ画像記憶手段に記憶された前記ＧＵＩ画像を前記表示手段に表示した後、前記ログデータ記憶手段に記憶されているログデータのうち、前記表示手段上に表示された前記ＧＵＩ画像上で作業者によって選択されたログデータを、前記データ書き出し手段を用いて、前記接続部に接続された前記外部記憶媒体に書き出すものである。
【発明の効果】
【０００８】
本発明によれば、ログデータを外部記憶媒体に書き出すときに、ＧＵＩ画像上で作業者によって選択されたログデータを、接続部に接続された外部記憶媒体に書き出す。そのため、作業者が意図するログデータのみを外部記憶媒体に書き出すことができ、余計なログデータを外部記憶媒体に書き出さない。従って、作業者がログデータに基づいてエラー原因を解析する際に、迅速に解析を行うことができるので、使い勝手が良い。また、ログデータを外部記憶媒体に書き出すときに、作業者はＧＵＩ画像上で書き出したいログデータを選択することができるので、従来と異なり、ログデータを書き出すためにテレビジョン受像機の筐体を開けて内部を操作する必要がなくなる。従って、ログデータを書き出す際の操作の手間を軽減でき、使い勝手が良い。
【図面の簡単な説明】
【０００９】
【図１】本発明の一実施形態に係るＴＶ受像機の斜視図。
【図２】上記ＴＶ受像機の概略構成を示すブロック図。
【図３】上記ＴＶ受像機におけるログデータ書き出し処理の手順を示すフローチャート。
【図４】上記ＴＶ受像機のディスプレイに表示されるＧＵＩ画像の一例を示す説明図。
【図５】上記ＴＶ受像機のディスプレイに表示されるログデータ選択ＧＵＩ画面の一例を示す説明図。
【図６】上記ログデータ書き出し処理におけるＵＳＢメモリ書き出し処理の詳細を示すフローチャート。
【発明を実施するための形態】
【００１０】
本発明の一実施形態に係るテレビジョン（以下、ＴＶという）受像機（テレビジョン受像機）について、図１及び図２を参照して説明する。図１は、リモコン装置２により操作されるＴＶ受像機１の外観を示し、図２は、ＴＶ受像機１の内部構成を示す。ＴＶ受像機１は、ＵＳＢ（Ｕｎｉｖｅｒｓａｌ  Ｓｅｒｉａｌ  Ｂｕｓ）メモリ（外部記憶媒体）３を接続可能なＵＳＢポート（接続部）１３を備える。ＴＶ受像機１は、ユーザや作業者によるリモコン装置２の指示操作に基づいて動作を行うものである。
【００１１】
ＴＶ受像機１は、ＴＶ番組等のコンテンツの映像を表示するディスプレイ（表示手段）１１と、ＴＶ番組の音声を出力するスピーカ１２と、ＵＳＢポート１３と、放送局から配信されるデジタル放送信号を受信するチューナ部１４と、リモコン装置２から送信される操作信号を受信するリモコン信号受信部１５と、自装置の筐体外部に露出するように設けられたＨＤＭＩ端子部１６と、各種情報を記憶するメモリ（ログデータ記憶手段、ＧＵＩ画像記憶手段）１７と、装置各部を制御する制御用マイコン（制御手段）１８とを備える。
【００１２】
リモコン装置２は、ユーザや作業者によって操作される複数の操作ボタン２１と、ＴＶ受像機１に対してユーザによる操作に応じた操作信号を送信するための信号送信部２２とを有する。ユーザや作業者は、操作ボタン２１を操作することにより、チャンネルの選局処理や、各種ログデータの書き出し処理等の動作指示を行うことができる。
【００１３】
ディスプレイ１１は、液晶ディスプレイパネル（図示せず）と、このパネルを駆動する駆動部（図示せず）等から構成される。ＵＳＢポート１３は、ＵＳＢ規格に従う接続端子３１を有するＵＳＢメモリ３を接続可能である。ＨＤＭＩ端子部１６は、ＨＤＭＩ規格に対応したＨＤＭＩケーブル（図示せず）を接続する。
【００１４】
メモリ１７は、制御用マイコン１８を動作させるためのプログラム１７ａと、各種のログデータ１７ｂと、ＧＵＩ画像１７ｃとを記憶する。ログデータ１７ｂは、自装置内の各種処理のそれぞれに対応する複数のログデータから構成される。
【００１５】
ログデータ１７ｂは、具体的には例えば、ＴＶ受像機１全体のステイタスログであり、処理をした内容等を記憶したログデータ（「Ｓｔａｔｕｓ  Ｔｒａｃｅ」）や、チューナ部１４によって選局されたチャンネルのログデータ（「ＴＵＮＥＲ  Ｔｒａｃｅ」）や、入力されている信号の情報のログデータ（「Ｉｎｐｕｔ  Ｓｔａｔｕｓ  Ｔｒａｃｅ」）を含む。また、ログデータ１７ｂは、ＨＤＭＩ規格に基づく通信のログデータ（「ＨＤＭＩ  Ｓｔａｔｕｓ  Ｔｒａｃｅ」）や、ＨＤＣＰ処理のログデータ（「ＨＤＣＰ  Ｔｒａｃｅ」）や、Ａｕｄｉｏ情報のログデータ（「Ａｕｄｉｏ  Ｓｔａｔｕｓ  Ｔｒａｃｅ」）をさらに含む。
【００１６】
ＧＵＩ画像１７ｃは、ディスプレイ１１上に表示される各種のＧＵＩ画像である。ＧＵＩ画像１７ｃには、例えば、ＵＳＢメモリ３に書き出すログデータ１７ｂを作業者が選択するためのＧＵＩ画像（以下、ログデータ選択ＧＵＩ画像という）が含まれる。
【００１７】
制御用マイコン１８は、映像出力部１８ａと、音声出力部１８ｂと、ＧＵＩ画像出力部１８ｃと、データアクセス部（データ書き出し手段）１８ｄとを有する。
【００１８】
映像出力部１８ａは、チューナ部１４によって受信されたＴＶ番組の映像や各種メッセージをディスプレイ１１に出力して表示させる。音声出力部１８ｂは、チューナ部１４によって受信されたＴＶ番組の音声をスピーカ１２に出力する。
【００１９】
ＧＵＩ画像出力部１８ｃは、各種のＧＵＩ画像１７ｃをディスプレイ１１に出力する。データアクセス部１８ｄは、ＵＳＢポート１３に接続されたＵＳＢメモリ３に対してデータの読み込みや書き出しを行う。
【００２０】
次に、ＴＶ受像機１におけるログデータ書き出し処理について、図３乃至図５を参照して説明する。図３は、ログデータ書き出し処理の手順を示すフローチャートである。図４は、ディスプレイ１１上に表示されるＧＵＩ画像１７ｃの一例を示し、図５は、ディスプレイ１１上に表示されるログデータ選択ＧＵＩ画像１７ｃ１の一例を示す。ここでは、ＴＶ受像機１にエラーが発生しており、作業者がリモコン装置２の操作ボタン２１を操作することにより、ログデータ書き出し処理の各種指示操作を行っているものとする。
【００２１】
まず、作業者がリモコン装置２の操作ボタン２１を操作することにより、「ログデータの書き出し」を指示したとき（Ｓ１でＹＥＳ）、つまり、例えば図４に示すように、作業者がディスプレイ１１上に表示されたＧＵＩ画像１７ｃの「ＹＥＳ」ボタンを選択したとき（Ｓ１でＹＥＳ）、ＵＳＢポート１３にＵＳＢメモリ３が接続されている場合（Ｓ２でＹＥＳ）、制御用マイコン１８は、ログデータ選択ＧＵＩ画像１７ｃ１をディスプレイ１１に表示する（Ｓ３）。
【００２２】
そして、作業者が、リモコン装置２の操作ボタン２１を操作することにより、ログデータ選択ＧＵＩ画像１７ｃ１上で、ＵＳＢメモリ３に書き出したいログデータを選択して設定する（Ｓ４）。具体的には例えば、制御用マイコン１８が、ＧＵＩ画像出力部１８ｃを用いて、図５に示すようなログデータ選択ＧＵＩ画像１７ｃ１をディスプレイ１１上に表示する（Ｓ３に相当）。そして、図５中に示すように、書き出したいログデータに対して「ＯＮ」又は「ＯＦＦ」を選択して設定する（Ｓ４に相当）。
【００２３】
図５に示す一例では、「ＯＦＦ」に設定されているログデータは、「Ｓｔａｔｕｓ  Ｔｒａｃｅ」、「Ｉｎｐｕｔ  Ｓｔａｔｕｓ  Ｔｒａｃｅ」、「ＨＤＣＰ  Ｔｒａｃｅ」、及び「Ａｕｄｉｏ  Ｓｔａｔｕｓ  Ｔｒａｃｅ」である。「ＯＮ」に設定されているログデータは、「ＴＵＮＥＲ  Ｔｒａｃｅ」、及び「ＨＤＭＩ  Ｓｔａｔｕｓ  Ｔｒａｃｅ」である。
【００２４】
上記Ｓ４の設定が終了すると、制御用マイコン１８は、メモリ１７に記憶されたログデータ１７ｂから上記Ｓ４で設定されたログデータを収集し（Ｓ５）、収集したログデータをＵＳＢメモリ３に書き出すためのＵＳＢメモリ書き出し処理（Ｓ６）を行い、ログデータの書き出しが完了した場合（Ｓ７でＹＥＳ）、処理を終了する。一方、書き出しが完了していない場合（Ｓ７でＮＯ）、上記Ｓ６の処理を繰り返す。
【００２５】
一方、上記Ｓ１でログデータの書き出しを指示しない場合（Ｓ１でＮＯ）、制御用マイコン１８は、上記Ｓ２以降の処理を行わない。また、上記Ｓ２でＵＳＢメモリ３が接続されていない場合（Ｓ２でＮＯ）、制御用マイコン１８は、上記Ｓ３以降の処理を行わない。
【００２６】
次に、上記Ｓ６のＵＳＢメモリ書き出し処理の詳細について、図６に示すフローチャートを参照して説明する。
【００２７】
まず、制御用マイコン１８は、上記図３のＳ４の処理によって作業者によって設定されたログデータの設定に従って、「Ｓｔａｔｕｓ  Ｔｒａｃｅ」が「ＯＮ」である場合（Ｓ１１でＹＥＳ）、データアクセス部１８ｄを用いて、ステータス情報のログデータをＵＳＢメモリ３に書き出す（Ｓ１２）。一方、「Ｓｔａｔｕｓ  Ｔｒａｃｅ」が「ＯＦＦ」である場合（Ｓ１１でＮＯ）、制御用マイコン１８は、ステータス情報のログデータをＵＳＢメモリ３に書き出さない。
【００２８】
そして、制御用マイコン１８は、「ＴＵＮＥＲ  Ｔｒａｃｅ」が「ＯＮ」である場合（Ｓ１３でＹＥＳ）、チューナトレース情報のログデータをＵＳＢメモリ３に書き出す（Ｓ１４）。一方、「ＴＵＮＥＲ  Ｔｒａｃｅ」が「ＯＦＦ」である場合（Ｓ１３でＮＯ）、チューナトレース情報のログデータをＵＳＢメモリ３に書き出さない。そして、制御用マイコン１８は、以降、各ログデータのそれぞれに対して、「ＯＮ」に設定されているか否かを判断し、「ＯＮ」に設定されているログデータをＵＳＢメモリ３に書き出すための処理（その他のログデータ書き出し処理）を行う（Ｓ１５）。なお、その他のログデータ書き出し処理は、上記Ｓ１１及びＳ１２において、対象のログデータが異なること以外は同様の処理であるため、説明を省略する。
【００２９】
上述したように、本実施形態に係るＴＶ受像機１においては、ログデータ１７ｂをＵＳＢメモリ３に書き出すときに、ログデータ選択ＧＵＩ画像１７ｃ１上で作業者によって選択されたログデータを、ＵＳＢポート１３に接続されたＵＳＢメモリ３に書き出す。そのため、作業者が意図するログデータ１７ｂのみをＵＳＢメモリ３に書き出すことができ、余計なログデータをＵＳＢメモリ３に書き出さない。従って、作業者がログデータに基づいてエラー原因を解析する際に、迅速に解析を行うことができるので、使い勝手が良い。
【００３０】
また、ログデータをＵＳＢメモリ３に書き出すときに、作業者はログデータ選択ＧＵＩ画像１７ｃ１上で書き出したいログデータを選択するので、従来と異なり、ログデータを書き出すためにテレビジョン受像機の筐体を開けて内部を操作する必要がなくなる。従って、ログデータを書き出す際の操作の手間を軽減でき、使い勝手が良い。
【００３１】
なお、本発明は、上記実施形態の構成に限られず、発明の趣旨を変更しない範囲で種々の変形が可能である。例えば、上記実施形態において、請求項における外部記録媒体がＵＳＢメモリである場合の例を示したが、外部記録媒体はこれに限られず、例えばＳＤカード等のデータを書き出し可能な記録媒体であればよい。
【符号の説明】
【００３２】
１  ＴＶ受像機（テレビジョン受像機）
３  ＵＳＢメモリ（外部記憶媒体）
１１  ディスプレイ（表示手段）
１３  ＵＳＢポート（接続部）
１６  メモリ（ログデータ記憶手段、ＧＵＩ画像記憶手段）
１７  制御用マイコン（制御手段）
１８ｄ  データアクセス部（データ書き出し手段）
【図１】
2011130237.tif 000003
【図２】
2011130237.tif 000004
【図３】
2011130237.tif 000005
【図４】
2011130237.tif 000006
【図５】
2011130237.tif 000007
【図６】
2011130237.tif 000008